(57)【特許請求の範囲】
【請求項１】
構造物躯体の開口部に備えられる一対のレールに両側縁部を支持され各レール間を移動自在となって前記開口部に対し開放及び閉鎖を行う複数の開閉体を備え、前記開口部の開放時に前記各開閉体を収納する収納部が前記開口部の一側に備えられるとともに、前記開口部の閉鎖時には前記一対のレール間に各開閉体が幅方向に並列することで閉鎖となる開閉装置であって、
前記収納部に備えられ、前記各開閉体と同数で構成される収納支持部と、
前記開口部と前記収納部との連結部分に配設され、前記開閉体が前記開口部から収納部へ移動する際に、前記各開閉体を、各開閉体に対応する前記各収納支持部内へそれぞれ導く誘導手段を構成し、前記連結部分を形成する連結レールの長さと略同等の長さの略羽根板状に形成され、付勢部材が取り付けられた基端が収納部側になるとともに、開口部側となる先端が連結レールの幅方向に揺動自在且つ付勢部材により連結レールの一方の内壁面に弾圧し、基端に対し鋭角に延出形成された衝合部を先端に有するガイド片と、
前記複数の開閉体のうち一部の開閉体の前記収納部側の端縁に配設される経路変更手段を構成し、該開閉体が収納部へと移動する際に、前記衝合部と当接して、前記付勢部材の付勢力に抗して前記ガイド片を前記一方の内壁面から退かせるように揺動させることで、前記各開閉体の収納部側に位置する開閉体が対応する収納支持部に収納される毎に、次に収納する開閉体を、この収納する開閉体に対応する収納支持部に導くように、前記ガイド片による導き方向を変更させる当接部を有する切替片と、
を具備することを特徴とする開閉装置。
【請求項２】
前記誘導手段を構成するガイド片は、先端の形状が楔状に形成されるとともに、その前記付勢部材により揺動される揺動方向と逆となる位置に傾斜面よりなる衝合部を有し、前記経路変更手段を構成する切替片は、前記開閉体の前記収納部側端縁に対して中途が鋭角に折曲形成された板状部材よりなり、その鋭角に折曲形成されて突設された先端に前記衝合部と衝合する当接部を有しており、前記衝合部と前記当接部とが衝合することで、前記ガイド片が揺動し、前記収納支持部への導き方向となる経路の形成を行うことを特徴とする請求項１に記載の開閉装置。
【請求項３】
構造物躯体の開口部に備えられる一対のレールに両側縁部を支持され各レール間を移動自在となって前記開口部に対し開放及び閉鎖を行う複数の開閉体を備え、前記開口部の開放時に前記各開閉体を収納する収納部が前記開口部の一側に備えられるとともに、前記開口部の閉鎖時には前記一対のレール間に各開閉体が幅方向に並列することで閉鎖となる開閉装置であって、
前記収納部に備えられ、前記各開閉体と同数で構成される収納支持部と、
前記開口部と前記収納部との連結部分に配設され、前記開閉体が前記開口部から収納部へ移動する際に、前記各開閉体を、各開閉体に対応する前記各収納支持部内へそれぞれ導く誘導手段を構成し、前記連結部分を形成する連結レールの長さと略同等の長さの略羽根板状に形成され、基端が収納部側になるとともに、開口部側となる先端が連結レールの幅方向に揺動自在とされるとともに連結レールの一方の内壁面に当接し、基端にガイド片の長手方向に延出する帯板形状の当接片を有するガイド片と、
前記複数の開閉体のうち一部の開閉体の前記開口部側の端縁に配設される経路変更手段を構成し、該開閉体が収納部へと移動する際に、前記当接片と当接して、前記ガイド片を前記一方の内壁面から退かせるように揺動させることで、前記各開閉体の収納部側に位置する開閉体が対応する収納支持部に収納される毎に、次に収納する開閉体を、この収納する開閉体に対応する収納支持部に導くように、前記ガイド片による導き方向を変更させる切替片と、
を具備することを特徴とする開閉装置。
【請求項４】
前記収納支持部は、前記開閉体の両側縁部を支持し、前記一対のレールのそれぞれに連結される一対の収納レールよりなることを特徴とする請求項１乃至３のいずれか１項記載の開閉装置。
【請求項５】
前記各収納レールは、互いに平行となって並列し前記収納部に配設され、前記開閉体を厚さ方向に並べて収容することを特徴とする請求項１乃至４のいずれか１項記載の開閉装置。
【発明の詳細な説明】
【０００１】
【発明の属する技術分野】
本発明は、建物などの構造物躯体の開口部を開放及び閉鎖する複数の開閉体の開口部開放時における各開閉体の収納の際に、それぞれの開閉体を対応する収納部分に導いて収納させる開閉装置に関するものである。
【０００２】
【従来の技術】
住宅や倉庫、工場などの建物や、ガレージ、簡易物置、簡易販売所、地下街、車両、船舶などの構造物躯体の開口部に設けられる開閉装置としてのシャッター装置において、このシャッター装置を構成する開閉体としてのシャッターカーテンが、左右横方向に開閉移動する横引きシャッター装置というものがある。
この横引きシャッター装置は、シャッターカーテンを構成する短冊板状のスラットが垂直縦方向とされ、左右方向に複数連結されている。シャッターカーテンの上縁及び下縁には、ローラが複数配設されており、構造物躯体開口部の上縁と下縁に配設される上下一対のレールに支持され、左右方向となる開閉方向に摺動をガイドされる。そして、開口部の開放時には、構造物躯体開口部の側方に配設される収納部に、シャッターカーテンが収納される。
【０００３】
シャッターカーテンは、構造物躯体の開口部分の間口などの構造により、複数で構成されることがあり、すなわち、構造物躯体開口に対し、各シャッターカーテンを幅方向に並列させて閉鎖とする構造である。このような構造の場合、各シャッターカーテンは、巻き取りなどを行わずに、略平板状のまま収納される構成とされ、その収納部は、各シャッターカーテン毎に収納されるように構成される。この収納部は、シャッターカーテンが、その構造上、可撓性を備えるので、上縁及び下縁に、開口部に配設されるレールと同様のレール部材を設け、各シャッターカーテンを、それぞれ収納できるように、シャッターカーテンと同数のレール部材を略平行に並列させている。そして、各レール部材に、シャッターカーテンがそれぞれ進入して収納されるように、開口部のレールと収納部のレール部材との連結部分に、案内方向切替片を設けている。
【０００４】
【発明が解決しようとする課題】
しかしながら、上述した横引きシャッター装置では、シャッターカーテンを開放させ、収納部に収納させる際に、上記案内方向切替片を揺動させることで、各シャッターカーテンを対応する収納部のレール部材に導き進入させているが、この従来の横引きシャッター装置では、案内方向切替片の揺動を手動にて行っていた。すなわち、並列している収納部の各レール部材に、収納位置を対応させるように案内切替片を手動にて揺動させ、シャッターカーテンを開放操作していた。このような案内切替片の揺動操作は、シャッターカーテンの開閉をガイドするレールが、構造物躯体開口の上縁と下縁に配設されていることから、上縁側に位置する案内切替片では手の届かない場合があり、操作棒などを用いて操作を行うこととなり、非常に煩雑な作業となるとともに、下縁側の案内切替片では、屈まなければならず、上下双方ともに、揺動操作が煩雑となっており、これら切替操作の自動化が望まれており、すなわち、シャッターカーテンの収納を簡便に行えるよう望まれていた。
【０００５】
そこで本発明は、上記問題点を解消するために、複数のシャッターカーテンなどの開閉体を、収納操作のみで、各開閉体毎に構成される収納位置に自動的に導かれて収納させることを可能とし、開閉体の開放操作を簡便なものとすることのできる開閉装置を提供することを目的としている。
【０００６】
【課題を解決するための手段】
次に、上記の課題を解決するための手段を、実施の形態に対応する図面（図１乃至図７）を参照して説明する。
この発明の開閉装置１は、構造物躯体２の開口部３に備えられる一対のレール９，１０に両側縁部を支持され各レール９，１０間を移動自在となって前記開口部３に対し開放及び閉鎖を行う複数の開閉体５，６を備え、前記開口部３の開放時に前記各開閉体５，６を収納する収納部７が前記開口部３の一側に備えられるとともに、前記開口部３の閉鎖時には前記一対のレール９，１０間に各開閉体５，６が幅方向に並列することで閉鎖となる開閉装置であって、
前記収納部７に備えられ、前記各開閉体５，６と同数で構成される収納支持部２１，２２と、前記開口部３と前記収納部７との連結部分に配設され、前記開閉体５，６が前記開口部３から収納部７へ移動する際に、前記各開閉体５，６を、各開閉体５，６に対応する前記各収納支持部２１，２２内へそれぞれ導く誘導手段を構成し、前記連結部分を形成する連結レール２３の長さと略同等の長さの略羽根板状に形成され、付勢部材３０が取り付けられた基端２５ａが収納部７側になるとともに、開口部３側となる先端２５ｂが連結レール２３の幅方向に揺動自在且つ付勢部材３０により連結レール２３の一方の内壁面２３ａに弾圧し、基端２５ａに対し鋭角に延出形成された衝合部２９を先端に有するガイド片２５と、前記複数の開閉体５，６のうち一部の開閉体の前記収納部側の端縁に配設される経路変更手段を構成し、該開閉体が収納部７へと移動する際に、前記衝合部２９と当接して、前記付勢部材３０の付勢力に抗して前記ガイド片２５を前記一方の内壁面２３ａから退かせるように揺動させることで、前記各開閉体の収納部側に位置する開閉体が対応する収納支持部に収納される毎に、次に収納する開閉体を、この収納する開閉体に対応する収納支持部に導くように、前記ガイド片２５による導き方向を変更させる当接部３５を有する切替片３３と、を具備することを特徴としている。
【０００７】
この開閉装置によれば、開閉体５，６の移動操作のみで、開口部３を開閉でき、すなわち、収納部７からの繰り出し操作と収納部７への収納操作が行え、従来のような切り替え手作業が不要となり、この開閉操作が簡便なものとなる。すなわち、開口部３のレール９，１０と収納部７の収納支持部２１，２２との連結部分に、誘導手段２５を設けるとともに、この誘導手段２５による開閉体５，６の収納される方向を変更させる経路変更手段３３を設けたので、開閉体５，６を開口部３から収納部７に収納操作するだけで、経路変更手段３３が誘導手段２５による導き方向を変更させ、開閉体５，６の収納する方向を自動的に切り替えることとなり、煩雑な手間もなく、複数の各開閉体５，６は対応する収納支持部２１，２２への経路を形成されて導かれ収納できることとなる。
【０００８】
なお、前記収納支持部は、前記開閉体５，６の両側縁部を支持し、前記一対のレール９，１０のそれぞれに連結される一対の収納レール２１，２２より構成としてもよく、この各収納レール２１，２２は、互いに平行となって並列し前記収納部７に配設され、前記開閉体５，６を厚さ方向に並べて収容する構成としてもよい。
【０００９】
また、前記誘導手段２５は、前記連結部分に位置する前記一対のレール端部の少なくともいずれか一方のレール端部に配設される構成としてもよい。
【００１２】
さらに、前記誘導手段を構成するガイド片２５は、先端の形状が楔状に形成されるとともに、その前記付勢部材３０により揺動される揺動方向と逆となる位置に傾斜面よりなる衝合部２９を有し、前記経路変更手段を構成する切替片３３は、前記開閉体の前記収納部側端縁に対して中途が鋭角に折曲形成された板状部材よりなり、その鋭角に折曲形成されて突設された先端に前記衝合部２９と衝合する当接部３５を有しており、前記衝合部２９と前記当接部３５とが衝合することで、前記ガイド片２５が揺動し、前記収納支持部への導き方向となる経路の形成を行う構成としてもよい。
【００１３】
このような構成によれば、開閉体５，６を収納方向に移動させると、突設された経路変更手段３３により、誘導手段２５は、その開閉体５，６の収納方向を導くように退かれ、開閉体５、６の収納のための経路を形成し、スムーズに開閉体５，６の収納操作が行われることとなる。そして、誘導手段２５に衝合部２９を設け、経路変更手段３３に当接部３５を設けることで、開閉体５，６の収納のための経路形成が容易に行われることとなり、この開閉体５，６の収納操作をよりスムーズに行うことが可能となる。
【００１４】
また、図１２乃至図１６を参照する実施の形態に示すように、誘導手段を構成するガイド片２５の基端にガイド片の長手方向に延出する帯板形状の当接片３６を有し、経路変更手段を構成する切替片３３は、前記開閉体５，６の前記開口部３側の端縁に配設される構成としてもよい。
【００１５】
この構成によれば、開閉体５，６を収納方向に移動させると、開口部３から収納部７へと移動が完了するとともに、この開閉体５，６の開口部側端縁の経路変更手段３３が誘導手段２５を揺動させることとなり、すなわち、次に収納される開閉体５，６のために収納の経路を形成させることとなる。
【００１９】
【発明の実施の形態】
図１は本発明による開閉装置の実施の形態を示す（ａ）全体正面図と（ｂ）平断面図、図２は同開閉装置を構成する開閉体としてのシャッターカーテンの一部省略正面図、図３は同開閉装置の要部拡大斜視図である。
【００２０】
なお、本実施の形態の開閉装置は、開閉体としてのシャッターカーテンが左右横方向にスライド移動して構造物躯体としての建物の開口に対して開閉が行われる横引きシャッター装置として説明する。
【００２１】
この横引きシャッター装置１は、例えば小型店舗などの建物２に用いられており、図１に示すように、店舗２の半部を開口部３とした構成とされ、この開口部３に対し本実施の形態では、開閉体としての２枚のシャッターカーテン５，６にて閉鎖を行い、また、これらシャッターカーテン５，６を重合した状態で、開口部３の側方の残る半部に位置する収納部７に収納し、開口部３を開放させるようになっている。
【００２２】
この横引きシャッター装置１は、一対のレール９，１０と、シャッターカーテン５，６と、収納部７と、誘導手段としてのガイド片２５と、経路変更手段としての切替片３３とで大略構成されている。
【００２３】
一対のレール９，１０は、建物２の開口部３の上縁と下縁とに略水平とされ、互いに平行となって対向して配設される。これらレール９，１０は、図１（ａ）に示すように、略Ｃ字状に中途が湾曲形成されている。また、各レール９，１０は、断面略コ字状に形成されており、シャッターカーテン５，６の上縁及び下縁を支持し、移動を案内する。
【００２４】
シャッターカーテン５，６は、本実施の形態では、上記したように２枚で構成される。各シャッターカーテン５，６は、略短冊板状に形成される金属製、例えば鋼板やアルミニウム型材などよりなる複数のスラット部材１１より構成され、各スラット部材１１の左右縁部となる長辺部同士を互いに連結して構成される。
【００２５】
これらシャッターカーテン５，６は、図２に示すように、ガイドローラ１３と支持ローラ１７とが配設されている。
ガイドローラ１３は、２個１組で構成され、ブラケット１５を介し、シャッターカーテン５，６の上縁及び下縁となるスラット部材１１の長手方向両端部に設けられる。各ガイドローラ１３は、互いに平行な一対の軸にてブラケット１５に回転自在に設けられ、各軸をスラット部材１１の長手方向と平行とし、垂直となるように設けられる。なお、このガイドローラ１３は、直径が各スラット部材１１の厚さより大径に設定されるとともに、上記レール９，１０の内幅よりやや小径に設定される。
【００２６】
支持ローラ１７は、ブラケット１９を介して、シャッターカーテン５，６の下縁となるスラット部材１１の長手方向下端部に設けられる。この支持ローラ１７は、スラット部材１１の厚さ方向を軸方向として設けられ、シャッターカーテン５，６の自重を支持し、スラットカーテン５，６の移動に伴いレール９，１０内を転動するようになっている。
【００２７】
なお、これらガイドローラ１３と支持ローラ１７とは、シャッターカーテン５，６の任意の位置に設けられるが、本実施の形態では、図２，図５に示すように、シャッターカーテン５，６を構成する各スラット部材１１の全てにそれぞれ設けられるのではなく、ガイドローラ１３は、１つおきのスラット部材１１の上下に設けられ、また、支持ローラ１７は３つおきに設けられる。
【００２８】
そして、各シャッターカーテン５，６は、開口部３の上下レール９，１０に、上下両縁部を支持され、各レール９，１０間を移動自在となっており、レール９，１０内にてガイドローラ１３が転動し、支持ローラ１７にて開口部３の左右横方向にレール９，１０に沿って移動自在となる。
なお、各シャッターカーテン５，６は、開口部３を閉鎖した状態で、上下レール９，１０間に、幅方向、すなわち、シャッターカーテン５，６の移動方向である開閉方向となる方向に隣り合い、並列するようになっている。また、各シャッターカーテン５，６には、互いに隣り合う縁部となるスラット部材１１同士を、施錠装置などにて連結状態とし、すなわち１枚状に構成させることで、建物開口部３の閉鎖が行われる。
【００２９】
収納部７は、建物２の外側に付設され建物２の外壁に沿って設けられる戸袋よりなり、開口部３の一側に位置して、シャッタカーテン５，６を内部に収納し、このシャッターカーテン５，６の出入口となるスリット状開口２０を備える。本実施の形態では、図１（ｂ）に示すように、中途が折曲した略Ｌ字状の戸袋とされ、また、上記シャッターカーテン５，６が２枚で構成されることから、２つの収納支持部としての収納レール２１，２２を備えて構成される。これら収納レール２１，２２は、上記レール９，１０と略同形状であり、すなわち、断面略コ字状に形成される。
【００３０】
各収納レール２１，２２は、図１（ｂ）に示すように、中途が湾曲形成されているとともに、互いに平行となり並列するように構成される。なお、図１（ｂ）に示すように、本実施の形態では、各収納レール２１，２２は、所定の間隙を有した状態で互いが平行となって並列し配設されている。
【００３１】
そして、各収納レール２１，２２は、開口部３のレール９，１０の一端と連結されている。本実施の形態では、図１及び図３に示すように、開口部３のレール９，１０と、各収納レール２１，２２とをスムーズな溝状部分として形成されるように一端に対して他端が幅長を拡げた略Ｖ字形状の連結レール２３を介して連結されている。なお、この連結レール２３のある連結部分は、収納部７のシャッターカーテン出入口部分に位置し、スリット状開口２０には、上下両縁に、上下のレール９，１０の一端が位置する。
【００３２】
ガイド片２５は、本実施の形態では、上下一対で構成され、開口部３と収納部７との連結部分である上下の各連結レール２３に位置してそれぞれ設けられる。このガイド片２５は、図３に示すように、基端２５ａに対し先端２５ｂが鋭角に延出形成される板状部材で、連結レール２３の長さと略同等の長さの略羽根状に形成される。ガイド片２５は、基端２５ａが収納部７側となるとともに、図５に示すように、各収納レール２１，２２の間隙部分に位置し、連結レール２３の底面に垂直な支軸２７を介して取り付けられる。そして、開口部３側となる先端２５ｂがレール９，１０の幅方向に揺動自在となるように取り付けられており、このガイド片先端２５ｂが連結レール２３の一方の壁面２３ａに当接している状態では、ガイド片２５と他方の壁面２３ｂとで移動経路が形成され、すなわち開口部３のレール９，１０と、収納部７の一方の収納レール２１とを連続状態とし、ガイド片先端２５ｂが連結レール２３の他方の壁面２３ｂに当接している状態では、ガイド片２５と一方の壁面２３ａとで移動経路が形成され、すなわち、開口部３のレール９，１０と収納部７の他方の収納レール２２とを連続状態とする。
【００３３】
ガイド片２５は、図３に示すように、先端２５ｂの形状が、楔状に形成されるとともに、高さ方向の半部が切欠かれ、衝合部２９が形成される。この衝合部２９は、好ましくは、傾斜面よりなり、その傾斜方向は、本実施の形態では、連結レール２３の一方の壁面２３ａ側に形成される。
【００３４】
また、このガイド片２５には、基端２５ａの支軸２７部分に付勢部材３０が取り付けられている。この付勢部材３０は、本実施の形態では、捩じりコイルバネ若しくは板バネよりなり、ガイド片２５を一方の揺動方向に付勢力が働くように設定され、図５に示すように、連結レール２３内の一方の壁面２３ａに当接状態とされる。
すなわち、このガイド片２５が一方の壁面２３ａに当接した状態で、上記衝合部２９により、ガイド片２５の先端の半部に空隙部分を形成するようになる。
【００３５】
なお、このガイド片２５は、十分な強度を有するとともに、耐摩耗性に優れ、かつ摩擦抵抗の少ない素材よりなり、アルミニウム合金やステンレス合金などの金属やポリアセタール樹脂などの樹脂、または樹脂コーティングの施された金属素材などとされる。
【００３６】
切替片３３は、前述したシャッターカーテンの先端縁に配設される。
本実施の形態では、シャッターカーテンが開口部３に位置する際（開口部を閉鎖した状態）の収納部７側の端縁である戸先に配設され、かつ、各シャッターカーテンの開口部３閉鎖時における収納部７に近接したシャッターカーテン以外のシャッターカーテン５に設けられる。
【００３７】
この切替片３３は、シャッターカーテン５の先端縁である戸先５ａとなるスラット部材１１の上端と下端とに配設され、開口部３から収納部７へと移動する際に、連結レール２３の位置で、上記ガイド片２５に当接するようになっており、本実施の形態では、図５に示すように、略レ字状に中途が鋭角に折曲形成された板状部材よりなる。
【００３８】
切替片３３は、折曲されている先端縁を当接部３５とされ、この当接部３５が、この切替片３３の設けられるシャッターカーテン５の収納方向となる方向に延出し、本実施の形態では、建物２の外側側に位置する収納レール２２に向かって延出するように、スラット部材１１と平行な面と、この面の先端縁（当接部）３５からスラット部材１１の厚み分傾斜する斜面とで形成される。また、この切替片３３は、レール底面から所定の距離隔てて位置し、上記ガイド片２５の先端に形成される衝合部２９に対向する高さ位置とされる。
なお、この切替片３３は、金属素材或いは硬質樹脂等より構成されることが好ましく、例えばステンレス鋼などの素材や上記ガイド片２５と同様の素材とされる。
【００３９】
次に、上述のように構成された開閉装置である横引きシャッター装置１の動作について説明する。
まず、開口部３が開放している状態では、各シャッターカーテン５，６は収納部７に収納されており、収納部７の各収納支持部である収納レール２１，２２間にそれぞれ位置している。本実施の形態では、収納レール２１，２２が並列して構成されることから、厚さ方向に重合状態であり、建物２の外側に位置するシャッターカーテン５を先に繰り出すこととなる。
【００４０】
収納部７に収納されているシャッターカーテン５，６を繰り出し開口部３を閉鎖させるには、まず、建物２の外側に位置して収納されている１枚目のシャッターカーテン５をスリット状開口２０より繰り出す。繰り出される１枚目のシャッターカーテン５は、収納レール２２からレール９，１０に案内され開口部３へとスライド移動する。このとき、連結レール２３でのガイド片２５は、付勢部材である捩じりコイルバネ３０の付勢力により連結レール２３の一方の壁面２３ａに当接状態（図５（ａ）参照）であるが、１枚目のシャッターカーテン５を移動させることにより、その付勢力に抗することとなってガイド片２５を退かせ、この連結レール２３部分を通過する。そしてこの１枚目のシャッターカーテン５は、開口部３の一端側から他端側へと移動され、開口部３の他端側半部を閉鎖する。
なお、この１枚目のシャッターカーテン５の閉鎖操作にて、シャッターカーテン５が連結レール２３部分を通過すると、ガイド片２５は、捩じりコイルバネ３０の付勢力により、先端２５ｂが連結レール２３の一方の壁面２３ａに当接状態となる。
【００４１】
続いて、収納部７内の２枚目のシャッターカーテン６を収納レール２１からレール９，１０へと繰り出し、スライド移動させる。このとき、ガイド片２５は、先端２５ｂが連結レール２３の一方の壁面２３ａに当接状態であるので、このガイド片２５と連結レール２３の他方の壁面２３ｂにてシャッターカーテン６の移動経路が形成される。そして、１枚目のシャッターカーテン５に幅方向に並列するように開口部３の残り半部である一端側半部を閉鎖させる。
両シャッターカーテン５，６にて開口部３を閉鎖したのち、必要であれば施錠装置などにて施錠が行われる。
【００４２】
本実施の形態では、開口部３を２枚のシャッターカーテン５，６にて閉鎖した状態では、２枚目のシャッターカーテン６の先端縁である戸先６ａが、図５（ａ）に示すように、収納部７との連結部分である連結レール２３に位置している。また、この状態では、ガイド片２５が捩じりコイルバネ３０による付勢力にて連結レール２３内の一方の壁面２３ａに当接状態である。
【００４３】
次に、開口部３を閉鎖している各シャッターカーテン５，６を開放するには、開口部３の収納部７に近い２枚目のシャッターカーテン６を収納部７側にスライド移動させる。この２枚目のシャッターカーテン６は、図５（ａ）に示すように、戸先６ａが連結レール２３に位置していることから、そのままスライド移動させることで、対応する収納部分である一方の収納レール２１内に移動し、図５（ｂ）に示すように、収納される。
【００４４】
次に、開口部３の半部を閉鎖している１枚目のシャッターカーテン５を、収納部７の方向にスライド移動させる。
この１枚目のシャッターカーテン５が開口部３の上下レール９，１０間を移動し、連結レール２３に達すると、戸先５ａの切替片３３が、ガイド片２５と対向し、図６（ａ）に示すように、切替片３３の当接部３５がガイド片２５の衝合部２９による間隙部分に進入し互いに衝合状態となる。
【００４５】
さらに１枚目のシャッターカーテン５を移動させると、切替片３３の斜面によりガイド片２５を退けるように、かつ、捩じりコイルバネ３０の付勢力に抗して揺動させ、すなわち退かせる（図６（ｂ））。
１枚目のシャッターカーテン５をさらにスライド移動させると、切替片３３はガイド片２５をさらに揺動させ（図７（ａ）参照）、そして、その先端２５ｂを連結レール２３の他方の壁面２３ｂに当接状態とさせる。
【００４６】
これにより、連結レール２３の位置では、一方の壁面２３ａとガイド片２５とでシャッターカーテン５の移動経路を形成させ、図７（ｂ）に示すように、この１枚目のシャッターカーテン５に対応する他方の収納レール２２への導き方向が設定される。そして、このシャッターカーテン５を引き続いてスライド移動させることで、収納となり、すなわち開口部３の開放となる。
【００４７】
なお、１枚目のシャッターカーテン５が全て収納レール２２内に収納されると、ガイド片２５は、捩じりコイルバネ３０の付勢力により初期の位置に戻り、すなわちガイド片２５の先端２５ｂは、連結レール２３の一方の壁面２３ａに当接状態となる。
【００４８】
従ってこのように構成された横引きシャッター装置である開閉装置１では、開閉体であるシャッターカーテン５，６のスライド移動の操作のみで、開口部３を開閉でき、すなわち、収納部７からの繰り出し操作と収納部７への収納操作が行え、従来のような切り替え手作業が不要となり、この開閉操作が簡便なものとなる。すなわち、開口部３のレール９，１０と収納部７の収納レール２１，２２との連結部分に、揺動自在なガイド片２５を設けるとともに、このガイド片２５に衝合部２９を形成し、またシャッターカーテン５の戸先５ａに切替片３３を設け当接部３５を形成したので、シャッターカーテン５を開口部３から収納部７に収納操作するだけで、切替片３３がガイド片２５を揺動させて退かせ、シャッターカーテン５を収納する方向を自動的に切り替え、そのシャッターカーテン５に対応する収納部分（収納レール）２２への経路を形成させることとなり、煩雑な手間もなく、シャッターカーテン５は対応した収納部分へ導かれて収納できることとなる。
【００４９】
なお、上述した実施の形態では、誘導手段であるガイド片２５を、上下それぞれに配設、すなわち上方の連結レール２３と下方の連結レール２３とに配設させた例について述べたが、このガイド片２５は、上部或いは下部のいずれか一方に配設されることとしてもよい。この場合、このガイド片２５に当接し揺動させる経路変更手段である切替片３３も、ガイド片２５の設けられる上部或いは下部に対応する上下いずれか一方に配設されればよく、部品点数の削減を図れることとなる。但し、開閉体であるシャッターカーテン５，６の上下幅長（スパン）が長尺である場合、開閉体自体の剛性が十分でなくなるおそれがあるので、撓むことで対応する収納レールに収納できないおそれがあるので、短幅の開閉体であることが好ましい。
【００５０】
また、上述した実施の形態では、誘導手段である上下のガイド片２５を、それぞれ連結レール２３に軸支する構成としたが、両連結レール２３間をわたる長尺な軸体を設け、この軸体の両端に、それぞれガイド片２５を設ける構成としてもよい。この場合、ガイド片２５は同時に揺動する構成とすることが可能であるので、いずれか一方のガイド片２５を揺動させる切替片３３を備える構成でよく、開閉体であるシャッターカーテン５に取り付ける構造を簡素化することが可能となる。
【００５１】
さらに、上述した実施の形態では、誘導手段であるガイド片２５に、付勢部材である捩じりコイルバネ３０若しくは板バネを設けた構成としたが、上述した横引きシャッター装置１の構成など、ガイド片２５が水平方向に揺動する構造とされる場合には、このガイド片２５が自重で揺動してしまうことがないので、ガイド片２５に付勢部材３０を有さない構成としてもよい。
【００５２】
また、この誘導手段であるガイド片２５の揺動の付勢を、マグネットなどを用いて、すなわち磁力による吸引力や反発力を利用する構成としてもよい。
【００５３】
また、上述したした実施の形態では、誘導手段であるガイド片２５が、軸支され揺動する構成としたが、このガイド片２５は、軸による揺動構造以外の構成としてもよく、例えば、スライドにより移動し、シャッターカーテンなど開閉体５，６の移動経路を形成する構造などとしてもよい。
【００５４】
さらに、上述した実施の形態では、収納部７の各収納レール２１，２２を、中途で湾曲し互いに平行に並列させた構造としたが、中途の形状などについてはこれに限定されるものではなく、また、並列せずに異なる方向に延びる収納レールとしてもよい。
【００５５】
また、上述した実施の形態では、図１（ｂ）に示すように、開口部３及び収納部７のそれぞれの中途が湾曲形成され、これらの連結部分の略直線部分に連結レール２３を設けた構成とした例としたが、図８に示すように、連結レール２３を湾曲させ、すなわち、開口部３と収納部７との連結部分を建物の隅部分として湾曲した構成とし、ここにガイド片２５を配設させる構成としてもよい。この構成の場合、図８，９に示すように、シャッターカーテンの先端縁に、上記実施の形態と同等構成の切替片３３を設け、またガイド片２５の先端２５ｂに衝合部２９を設ける。そして、この連結レール２３の位置にて、シャッターカーテン６（５）が閉鎖方向に移動すると、切替片３３の先端が、図８（ａ）に示すように、連結レール２３の外側にオーバーハングすることとなり、これによりガイド片２５の衝合部２９と互いに衝合し、シャッターカーテン６（５）の移動とともに、図８（ｂ）（ｃ）（ｄ）に示すように、ガイド片２５を退かせる。これによりシャッターカーテンの収納への導き方向が設定されて、収納部７への収納となる。
【００５６】
なお、図１０に示すように、連結レール２３の側壁面の高さを大きくし、シャッターカーテン６（５）に設けられる切替片３３を外部より直接目視できないように構成してもよい。この場合、図１１（ａ）〜（ｄ）に示すように、連結レール２３の一方の壁面２３ａに近接するように切替片３３が移動し、そして、ガイド片２５の衝合部２９との間に切替片３３が進入し、ガイド片２５が切替片３３によって退かされ、これによりシャッターカーテンの収納への導き方向が設定されて、収納部７への収納となる。
【００５７】
また、上述した実施の形態では、収納部７の構造を、開口部３のレール９，１０に連続するようなレール構造である収納レール２１，２２にて構成した例として説明したが、本発明の開閉装置１としてはこれに限定されることはなく、例えば、開閉体を巻回して収納する構造としてもよく、また、開閉体を折り畳むことで収納する構造としてもよい。
【００５８】
さらに、上記した収納レール２１，２２と、巻回による収納等とを複合した収納部としてもよく、開閉体５，６の構成に対応させ組み合わせても可能である。
【００５９】
また、上述した実施の形態では、経路変更手段である切替片３３を、開閉体であるシャッターカーテン５の戸先５ａに延出するように設け構成させた例について述べたが、この切替片３３の位置は、この戸先５ａの位置に限定されることはなく、また、開閉体５の戸先５ａと一体構成とする構造としてもよい。
【００６０】
さらに、例えば、シャッターカーテンの収納部７側の側端縁となる戸先ではなく、図１２に示すように、開口部３側の側端縁である戸尻６ｂに経路変更手段としての切替片３３を設ける構成としてもよい。この例での切替片３３は、図１２及び図１３に示すように、戸尻６ｂにおける上下端部に配設され、上方及び下方に延出形成されるとともに、シャッターカーテンの厚さと略同等となるように、厚み方向に延出して形成されて、上下のレール内を移動する構成とする。そして、この切替片３３の場合には、ガイド片２５の形状を図１２（ａ）及び図１４に示すように、ガイド片２５の基端２５ａに、ガイド片２５の長手方向に延出する帯板形状の当接片３６を設ける構成とする。この当接片３６は、連結レール２３のレール底面に近接しシャッターカーテンのガイドローラ１３に干渉しない位置に延設され、その先端３６ａが収納部７における収納レール２１内に延出する。このような構成により、シャッターカーテンが開口部３から収納部７へ移動する際に、図１６（ａ）に示すように、シャッターカーテンが収納部７内に収納される際、図１５（ａ）（ｂ）に示すように、その戸尻６ｂがガイド片２５を通過する際に、切替片３３の移動軌跡上に当接片３６が位置することから、切替片３３が当接片３６に干渉して、当接片３６に接触し押圧することとなる。当接片３６は、この押圧によりガイド片２５を揺動させることとなり、これにより図１６（ｂ）に示すように、ガイド片２５の先端２５ｂが他方の壁面２３ｂの方向へ移動し当接して次のシャッターカーテンのための移動経路を形成する。
【００６１】
なお、図１２（ｂ）に示すように、ガイド片２５の基端２５ａに、Ｌ字状の当接片３６を設ける構成としてもよく、この場合では、戸尻６ｂの切替片３３と当接片３６とが係合することとなり、切替片３３による当接片３６を介したガイド片２５の揺動を行うとともに、当接片３６と切替片３３とが互いに係止しあい互いの移動を規制する。すなわち、シャッターカーテンの収納部７への移動を当接片３６により規制するとともに、ガイド片２５の揺動を切替片３３にて保持することとなる。
【００６２】
なお、上記のような戸尻に切替片３３を設け、ガイド片２５に当接片３６を設ける構成では、好ましくは、各シャッターカーテンが開口部３に位置し開口部３を閉鎖した状態で収納部７側に位置するシャッターカーテン６の収納部側端縁（戸先）が収納レール２３上に位置し、ガイド片２５を一方の壁面２３ａ側に当接させる状態となって、開口部閉鎖時に収納部７側ではないシャッターカーテンの収納経路をこれら切替片３３と当接片３６とで形成させることとする。
【００６３】
さらには、この経路変更手段は、上記ガイド片２５などの誘導手段の揺動の方向を維持するバネなどの付勢手段にて構成させてもよい。
例えば、図１７に示すように、ガイド片基端２５ａの支軸２７に捩じりコイルバネなどの付勢手段３７を経路変更手段として設け、ガイド片２５の揺動方向を一方向に設定する構成とする。この構成では、ガイド片２５は、付勢手段３７により、連結レール２３内にて常に他方の側壁２３ｂに当接する方向に付勢され、すなわち、他方の収納レール２２と開口部３のレール９，１０とを連続状態に維持しようとする。この構成においては、開口部３閉鎖時での各シャッターカーテン５，６の収納部７に近いシャッターカーテン６が、戸先を連結レール２３上となるよう設定されることで、ガイド片２５が付勢部材３７の付勢力に抗している状態とされる。そして、開口部３を閉鎖している各シャッターカーテンを開放する際には、まず、収納部７側のシャッターカーテン６をまず収納部７内に移動させる（図１８（ａ），（ｂ）参照）。このシャッターカーテン６が収納部７内に収納されると、連結レール２３上から移動されることとなり、これにより図１９（ａ）に示すように、ガイド片２５が付勢部材３７の付勢力により一方の側壁２３ａから他方の側壁２３ｂに揺動し、ガイド片２５の先端２５ｂを他方の側壁２３ｂに当接状態とさせる。これにより、次に収納されるシャッターカーテン５のための移動経路が形成され、他方の収納レール２２への導き方向が設定され、図１９（ｂ）に示すように、シャッターカーテン５の移動を行うことで開口部３の開放が行われる。
【００６４】
また、このバネなどの付勢手段よりなる経路変更手段としては、上記した実施の形態でのガイド片２５に設けた付勢部材３０と略同様の構成であるが、例えば、トグル機構を構成するようにバネ部材等で構成し、ガイド片２５などの構造の誘導手段の位置保持を行う構造とし、ガイド片の揺動方向を所定方向に向けた状態で維持し、開閉体５，６の収納移動方向を導くとともに、他の開閉体の際には、その揺動方向を例えば上記した切替片３３などを用いて変更して、その導き方向を維持する構成としてもよい。
【００６５】
さらに、上述した実施の形態では、誘導手段を、羽根状のガイド片２５とし、ガイド片先端２５ｂの衝合部２９を切欠にて形成した例について述べたが、この衝合部２９は、これに限定されるものではなく、例えば、図２０（ａ）に示すように、ガイド片２５の先端２５ｂをレール壁面２３ａより所定間隔浮かせるように略半球状の凸部２９にて構成してもよく、また、図２０（ｂ）に示すように、ガイド片２５の先端縁を斜面にて形成し、この斜面を衝合部２９としてもよく、さらに、図２０（ｃ）に示すように、ガイド片２５の先端２５ｂにガイド片２５の揺動方向と直交する方向を軸方向とするローラ部材２９を設けることで構成してもよい。また、図２１（ａ）に示すように、ガイド片２５の先端２５ｂを鋭角に形成せず、端面を有する形状とし、その上面（下面）に突片を設け衝合部２９としてもよく、さらに、図２１（ｂ）に示すように、ガイド片２５の先端に略ヘ字状に折曲形成された片状部材２９を延設させる構成や、図２１（ｃ）に示すように、ガイド片２５の先端を厚み方向に斜めに形成させ、錐台状に形成し、稜線部分を衝合部２９としてもよい。上記いずれの場合も、切替片３３の当接部３５が衝合する構造となり、この衝合により揺動されることとなる。
【００６６】
また、上述した実施の形態では、経路変更手段を、折曲形成した板状部材の切替片３３とし、その折曲部分である先端縁を当接部３５とした例について述べたが、この当接部３５は、これに限定されるものではなく、例えば、図２２（ａ）に示すように、略三角形状の板材を切替片３３とし、開閉体５の端縁（戸先）５ａに設け、その先端角部を当接部３５として構成してもよく、また、図２２（ｂ）に示すように、小径なローラを設けて、これを当接部３５として構成することとしてもよい。
【００６７】
さらに、上述した実施の形態では、開閉体であるシャッターカーテン５，６を２枚で構成する例について述べたが、この開閉体の数は、これに限らず複数であればよく、３枚，４枚などの構成としてもよい。この場合、これら開閉体に対応する同数の収納支持部を有する構成とし、かつ、誘導手段及び経路変更手段を構成させる。
【００６８】
例えば、開閉体が３枚である場合、図２３に示すように、収納支持部（収納レール）４１，４２，４３を３つで構成し、上述した実施の形態と同様に羽根状のガイド片２５，２５を２個設け、これらガイド片２５，２５にて開閉体４４，４５の収納方向の経路を形成させるとともに、開閉体４４，４５の戸先に、図２３（ａ），（ｃ）に示すような三角形状の切替片３３を、各開閉体毎に設け、これら切替片３３にて各ガイド片２５を退け揺動させて、開閉体の導き方向を変更させる。この場合、各ガイド片２５には、互いに近接するような付勢力を有する付勢部材をそれぞれ設け、その状態を維持することとし、またこのガイド片２５の先端近傍に、切替片３３の先端である当接部３５に衝合する衝合部２９を設ける。このような構成により、開閉体４４，４５を収納する操作を行うと、図２３（ａ），（ｂ），（ｃ）に示すように、各開閉体４４，４５の戸先に設けられる切替片３３にて各ガイド片２５が退き開閉体の移動経路を形成してそれぞれの収納支持部４１，４２，４３に収納されることとなる。
【００６９】
また、開閉体が上記同様に３枚である場合に、図２４に示すように、２つのガイド片２５，２５にて構成し、各ガイド片２５，２５をレール底面からの高さを異なるようにそれぞれ形成して、各開閉体４４，４５の戸先に、上記同様の三角形状の切替片３３をそれぞれ設けるとともに、これら切替片３３のレール底面からの高さを各ガイド片２５，２５に対応させて異なるように設け、各開閉体４４，４５の各切替片３３の当接部３５に衝合する衝合部２９をガイド片先端２５ｂに設ける構成としてもよい。なお、この構成においては、各ガイド片２５，２５のレール底面からの高さを、少なくとも各ガイドローラ１３が当接するように構成し、また３枚の開閉体のうち、開口部閉鎖時における収納部７に近い開閉体４６は連結レール２３上に戸先を位置させ、各ガイド片２５，２５を一方の壁面２３ａ側に当接状態とさせる。この構成によれば、図２５（ａ）に示すように、１枚目の開閉体４６を収納部７の収納支持部４１に収納した後、２枚目の開閉体４４を連結レール２３へ移動させる。２枚目の開閉体４４は、図２５（ｂ）に示すように、その戸先に設けられた切替片３３が一方のガイド片２５の衝合部２９に衝合して、このガイド片２５を退け揺動させ、この開閉体４４の導き方向を形成させる。このとき、切替片３３は、一方のガイド片２５にのみ衝合し、他方のガイド片２５の上方を通過することで、この他方のガイド片２５を揺動させず、一方のガイド片２５のみを他方の壁面２３ｂに当接状態とし、両ガイド片２５，２５による経路を形成する。２枚目の開閉体４４が収納部７の収納支持部４２内に移動し、収納された後、図２６に示すように、３枚目の開閉体４５を連結レール２３へ移動させる。３枚目の開閉体４５は、その戸先に設けられた切替片３３が他方のガイド片２５の衝合部２９に衝合して、この他方のガイド片２５を退け揺動させ、この開閉体４５の導き方向を形成させる。すなわち両ガイド片２５，２５が連結レール２３の他方の壁面２３ｂに当接状態となる。そして、この３枚目の開閉体４５は収納部７の収納支持部４３に収納される。
【００７０】
また、上記のような開閉体が複数枚の構成において、図２７，２８に示すように、上述した実施の形態と同様の略Ｖ字状の連結レール２３を開閉体の移動方向に直列させるように多段に構成し、各開閉体４４，４５，４６を収納部７に収納させる構成としてもよい。この構成においても、上記同様に、各ガイド片２５と各開閉体４４，４５に設けられる各切替片３３のそれぞれのレール底面からの高さとを対応するよう設定し、収納部７における各収納支持部４１，４２，４３に各開閉体４４，４５，４６が収納されるようにする。すなわち、図２７（ａ）に示すように、１枚目の開閉体４６が収納支持部４１内に収納された後、２枚目の開閉体４４を次の収納支持部４２内に移動させる際に、この開閉体４４は、１つ目の連結レール２３では戸先の切替片３３がガイド片２５と衝合せず、２つ目の連結レール２３にて切替片３３がガイド片２５に衝合し、退け揺動させ、移動経路を形成して収納支持部４２へと移動する（図２７（ｂ）参照）。また、３枚目の開閉体４５は、図２７（ｂ）に示すように、２枚目の開閉体４４が収納支持部４２内に収納された後、連結レール２３へと移動させると、戸先の切替片３３がガイド片２５に衝合して、このガイド片２５を退かせ、収納部７の収納支持部４３に移動し、収納されることとなる。
【００７１】
また、上述した実施の形態では、複数の開閉体を、各収納支持部に収納させるための構成として、誘導手段としてのガイド片２５と、経路変更手段としての切替片３３を備えた例とし、すなわち、開閉体の移動とともにガイド片２５を揺動させ、開閉体の収納方向を導くように経路を形成させる例について述べたが、図２９，３０に示すように、開口部３と収納部７との連結部分である連結レール２３の部分に、開口部３の各レール９，１０と収納部７の各収納支持部２１，２２とを連通する誘導レール５１，５２，５３を設ける構成とし、これら誘導レール５１，５２，５３に掛かるガイド手段５５，５６を開閉体５，６にそれぞれ設ける構成としてもよい。この構成の誘導レールとしては、連結レール２３の側壁と兼用とする誘導レール５３や、連結レール２３の底面に側壁と同様に構成される誘導レール５１，５２などとし、またガイド手段としては、開閉体５の上部端縁及び下部端縁に延設される片状の部材をガイド手段５５，５６とする構成や、ガイドローラ１３をガイド手段として構成する。そして、このような構成によれば、開閉体５，６を開口部閉鎖状態から開放する際、すなわち各開閉体５，６を収納部７内に収納する際、開閉体を開口部から収納部の方向にスライド移動させるが、開閉体５，６のスライド移動の操作のみで、各開閉体は、連結レール２３の通過時に、図３１に示すように、各ガイド手段１３，５５，５６が各誘導レール５１，５２，５３に掛かり、それぞれ対応する収納支持部２１，２２に導かれ収納される。
なお、このような構成とすることで、開閉体の戸先などに切替片３３などの部材を設ける必要がなく、またガイド片２５などの揺動などを行う機構部品を必要としないことから、構成として簡素となり、扱いやすく、メンテナンスなども容易なものとなる。
【００７２】
また、この誘導レールとガイド手段との組み合わせ構成としては、図３２に示すように、開口部と収納部とを連結する略Ｖ字状の連結レール２３の底面に、畦状に突出形成される誘導レール６１，６２を設け、各開閉体５，６の支持ローラをフランジ付のプーリとし、これをガイド手段６４，６５として構成してもよい。ガイド手段の各プーリ６４，６５は、開閉体毎にフランジの形成位置を変えて構成され、すなわち、一方の開閉体５ではプーリ６４のフランジが開閉体本体に近接して形成され、他方の開閉体６ではプーリ６５のフランジが開閉体本体から離間して形成されて、各プーリ６４，６５の周面が誘導レール６１，６２の上面上を転動し、それぞれのフランジは、誘導レール６１，６２の外側部に当接する。この構成によれば、各開閉体５，６が開口部から収納部へとスライド移動する際に、連結レール２３の部分にて、各開閉体５，６のプーリ６４，６５が、誘導レール６１，６２に沿って転動し、すなわち、一方の開閉体５の場合はプーリ６４により誘導レール６１の外側面にフランジが当接して、この誘導レール６１に沿って開閉体５の移動方向を案内され、これに対応する収納支持部に収納となり、また、他方の開閉体６の場合にはプーリ６５により誘導レール６２の外側面にフランジが当接して、この誘導レール６２に沿って開閉体６の移動方向を案内され、これに対応する収納支持部に収納となる。
【００７３】
また、上述した実施の形態では、開閉装置１を、開閉体であるシャッターカーテン５，６が左右横方向に移動し開閉が行われる横引きシャッター装置とした例について説明したが、本発明の開閉装置としては、開閉体が上下垂直方向に移動し開閉を行うシャッター装置など、開閉体の移動方向（開閉方向）については、これに限定されるものではなく、上記のような横方向や縦方向、斜め方向、さらには、これらが複合される種々の方向とされてもよい。
【００７４】
さらに、開閉体５，６として、複数のスラット部材１１にて連結構成されるシャッターカーテンではなく、シート材よりなるシートカーテン、スクリーン等からなるスクリーンカーテン、杆状部材で構成されるグリルカーテン、パネル板で構成されるパネルカーテン、ネット部材で構成されるネットカーテン、さらにはこれらを複合したカーテンであってもよい。グリルカーテンやシートカーテン、パネルカーテン、あるいはスラットとシート等とを複合したカーテン等としてもよく、さらには、引戸などとしてもよい。
【００７５】
【発明の効果】
以上説明したように本発明による開閉装置によれば、開閉体の移動操作のみで、開口部を開閉でき、すなわち、収納部からの繰り出し操作と収納部への収納操作が行え、従来のような開閉体に対応する収納部分への切り替え手作業が不要となり、この開閉操作が簡便なものとなる。すなわち、開口部のレールと収納部の収納支持部との連結部分に、誘導手段を設けるとともに、この誘導手段による開閉体の収納される方向を変更させる経路変更手段を設けたので、開閉体を開口部から収納部に収納操作するだけで、経路変更手段が誘導手段をによる導き方向を変更させ、開閉体の収納する方向を自動的に切り替えることとなり、煩雑な手間もなく、複数の各開閉体は対応する収納支持部への経路を形成されて導かれ収納できることとなる。
【００７６】
また、誘導手段に衝合部を設け、経路変更手段に当接部を設けることで、開閉体の収納のための経路形成が容易に行われることとなり、すなわちこれら衝合部と当接部により、開閉体を収納方向に移動させるのみで、誘導手段が退き案内経路を形成させるので、この開閉体の収納操作をよりスムーズに行うことが可能となる。
【００７７】
さらに、開口部と収納部との連結部分に誘導レールを設け、開閉体にガイド手段を設ける構成とすることで、揺動や摺動などの複雑な動きのある機構部品で構成されないことから、構造として簡素となり、扱いやすく、メンテナンスなども容易なものとなる。
【００７８】
このようなことから、従来のような、棒を用いたり、屈むことで行っていた煩雑な手作業が一切無くなり、開閉体の移動操作のみで収納作業が完了されるので、作業性が大幅に向上し、この作業に要する時間短縮化を図れる。
【図面の簡単な説明】
【図１】（ａ）本発明による開閉装置の実施の形態を示す全体正面図
（ｂ）同平断面図
【図２】同開閉装置を構成する開閉体としてのシャッターカーテンの一部省略正面図
【図３】同開閉装置の要部拡大斜視図
【図４】同開閉装置の誘導手段の概略斜視図
【図５】（ａ）同開閉装置の動作を説明する平面図
（ｂ）同開閉装置の動作を説明する平面図
【図６】（ａ）同開閉装置の動作を説明する平面図
（ｂ）同開閉装置の動作を説明する平面図
【図７】（ａ）同開閉装置の動作を説明する平面図
（ｂ）同開閉装置の動作を説明する平面図
【図８】（ａ）他の実施の形態の開閉装置の要部を示す平面図
（ｂ）同動作図
（ｃ）同動作図
（ｄ）同動作図
【図９】他の実施の形態の開閉装置の要部を示す正面図
【図１０】他の実施の形態の開閉装置の要部を示す正面図
【図１１】（ａ）他の実施の形態の開閉装置の要部を示す平面図
（ｂ）同動作図
（ｃ）同動作図
（ｄ）同動作図
【図１２】（ａ）他の実施の形態の開閉装置の要部を示す平面図
（ｂ）他の実施の形態の開閉装置の要部を示す平面図
【図１３】（ａ）他の実施の形態の開閉装置の要部を示す正面図
（ｂ）同側面図
【図１４】同開閉装置の誘導手段の概略斜視図
【図１５】（ａ）同開閉装置の動作を説明する平面図
（ｂ）同開閉装置の動作を説明する平面図
【図１６】（ａ）同開閉装置の動作を説明する平面図
（ｂ）同開閉装置の動作を説明する平面図
【図１７】他の実施の形態の開閉装置の誘導手段の概略斜視図
【図１８】（ａ）同開閉装置の動作を説明する平面図
（ｂ）同開閉装置の動作を説明する平面図
【図１９】（ａ）同開閉装置の動作を説明する平面図
（ｂ）同開閉装置の動作を説明する平面図
【図２０】（ａ）他の実施の形態による誘導手段を示す平面図
（ｂ）他の実施の形態による誘導手段を示す平面図
（ｃ）他の実施の形態による誘導手段を示す平面図
【図２１】（ａ）他の実施の形態による誘導手段を示す斜視図
（ｂ）他の実施の形態による誘導手段を示す平面図
（ｃ）他の実施の形態による誘導手段を示す斜視図
【図２２】（ａ）他の実施の形態による経路変更手段を示す斜視図及び平面図
（ｂ）他の実施の形態による経路変更手段を示す平面図
【図２３】（ａ）他の実施の形態の開閉装置の要部を示す平面図
（ｂ）同動作図
（ｃ）同動作図
【図２４】他の実施の形態による開閉装置の要部を示す斜視図
【図２５】（ａ）同開閉装置の動作を説明する平面図
（ｂ）同開閉装置の動作を説明する平面図
【図２６】同開閉装置の動作を説明する平面図
【図２７】（ａ）他の実施の形態の開閉装置の要部を示す平面図
（ｂ）同動作図
【図２８】同動作図
【図２９】他の実施の形態による開閉装置の要部を示す斜視図
【図３０】同正面図
【図３１】（ａ）同平面図
（ｂ）同平面図
【図３２】他の実施の形態による開閉装置の要部を示す斜視図
【符号の説明】
１…開閉装置（横引きシャッター装置）
２…構造物躯体（建物）
３…開口部
５，６…開閉体（シャッターカーテン）
５ａ…端縁（戸先）
７…収納部
９，１０…レール
２１，２２…収納支持部（収納レール）
２５…誘導手段（ガイド片）
２５ａ…基端
２５ｂ…先端
２９…衝合部
３３…経路変更手段（切替部）
３５…当接部
５１，５２，５３，６１，６２…誘導レール
５５，５６…ガイド手段
６４，６５…ガイド手段（プーリ）
【図１】
0003903823.tif 000002
【図２】
0003903823.tif 000003
【図３】
0003903823.tif 000004
【図４】
0003903823.tif 000005
【図５】
0003903823.tif 000006
【図６】
0003903823.tif 000007
【図７】
0003903823.tif 000008
【図８】
0003903823.tif 000009
【図９】
0003903823.tif 000010
【図１０】
0003903823.tif 000011
【図１１】
0003903823.tif 000012
【図１２】
0003903823.tif 000013
【図１３】
0003903823.tif 000014
【図１４】
0003903823.tif 000015
【図１５】
0003903823.tif 000016
【図１６】
0003903823.tif 000017
【図１７】
0003903823.tif 000018
【図１８】
0003903823.tif 000019
【図１９】
0003903823.tif 000020
【図２０】
0003903823.tif 000021
【図２１】
0003903823.tif 000022
【図２２】
0003903823.tif 000023
【図２３】
0003903823.tif 000024
【図２４】
0003903823.tif 000025
【図２５】
0003903823.tif 000026
【図２６】
0003903823.tif 000027
【図２７】
0003903823.tif 000028
【図２８】
0003903823.tif 000029
【図２９】
0003903823.tif 000030
【図３０】
0003903823.tif 000031
【図３１】
0003903823.tif 000032
【図３２】
0003903823.tif 000033